(57)【要約】【課題】局建作業を容易に行うことができる遠隔局建システムを提供する。【解決手段】オペレーションシステム１００と複数のネットワークエレメント２００を通信可能に接続する。オペレーションシステム１００は、ネットワークエレメント２００の状態に応じて記憶装置４２の局建データファイルをネットワークエレメント２００に送信する。ネットワークエレメント２００は、局建データファイルを受信し、受信した局建データファイルをネットワークエレメント２００が利用可能となるように組み込む。これにより、局建作業のうち局建データファイルをネットワークエレメント２００に組み込む作業をオペレーションシステム１００から遠隔で行うことができる。【選択図】　図１２
2004064134.tif 000002
【特許請求の範囲】
【請求項１】
局建対象となるネットワークエレメントと、前記ネットワークエレメントを監視するオペレーションシステムとを通信可能に接続し、前記ネットワークエレメントの局建に必要な局建データファイルを前記オペレーションシステムから前記ネットワークエレメントに転送し、前記局建データファイルに基づいて前記ネットワークエレメントを遠隔で局建するシステムであって、
前記オペレーションシステムは、前記局建データファイルを記憶するための局建データファイル記憶手段と、前記ネットワークエレメントを監視するネットワークエレメント監視手段とを有し、
前記ネットワークエレメント監視手段は、前記ネットワークエレメントの状態に応じて前記局建データファイル記憶手段の局建データファイルを前記ネットワークエレメントに送信する局建データファイル送信手段を含み、
前記ネットワークエレメントは、前記局建データファイルに基づいて局建に必要な処理を行う局建処理手段を有し、
前記局建処理手段は、前記局建データファイルを受信する局建データファイル受信手段と、前記局建データファイル受信手段で受信した局建データファイルを当該ネットワークエレメントが利用可能となるように組み込む局建データファイル組込手段とを含むことを特徴とする遠隔局建システム。
【請求項２】
請求項１において、
前記局建データファイルは、交換局としての運用に必要なシステムファイルと、局条件を示す局データを含む局データファイルと、必要なプラグインファイルとからなることを特徴とする遠隔局建システム。
【請求項３】
請求項２において、
前記システムファイルは、前記局データファイル及び前記プラグインファイルに基づいて交換局としての運用に必要な処理を行う運用処理手段を含み、
前記局建処理手段は、さらに、前記オペレーションシステムとの接続を確立する接続インターフェースを含み、
前記局建処理手段の接続インターフェースは、前記ネットワークエレメントの現状態を通知すべき現状態通知要求を受信したときは、前記ネットワークエレメントの現状態として第１状態であることを前記オペレーションシステムに通知し、少なくとも前記現状態の通知を経て前記オペレーションシステムとの接続を確立するようになっており、
前記運用処理手段は、前記オペレーションシステムとの接続を確立する接続インターフェースを含み、
前記運用処理手段の接続インターフェースは、前記現状態通知要求を受信したときは、前記ネットワークエレメントの現状態として第２状態であることを前記オペレーションシステムに通知し、前記ネットワークエレメントの装置状態を通知すべき装置状態通知要求を受信したときは、前記ネットワークエレメントの装置状態を前記オペレーションシステムに通知し、少なくとも前記現状態の通知及び前記装置状態の通知を経て前記オペレーションシステムとの接続を確立するようになっており、
前記ネットワークエレメント監視手段は、さらに、前記ネットワークエレメントとの接続を確立する接続インターフェースを含み、
前記ネットワークエレメント監視手段の接続インターフェースは、前記現状態通知要求を前記ネットワークエレメントに送信し、その応答として通知された前記ネットワークエレメントの現状態が前記第２状態であるときは、前記装置状態通知要求を前記ネットワークエレメントに送信するようになっていることを特徴とする遠隔局建システム。
【請求項４】
請求項３において、
前記システムファイルは、前記運用処理手段及び前記運用処理手段とは処理内容が異なる第２運用処理手段のうちいずれか一方を含み、
前記第２運用処理手段は、前記オペレーションシステムとの接続を確立する接続インターフェースを含み、
前記第２運用処理手段の接続インターフェースは、前記現状態通知要求を受信したときは、前記ネットワークエレメントの現状態として第３状態であることを前記オペレーションシステムに通知し、前記装置状態通知要求を受信したときは、前記ネットワークエレメントの装置状態を前記オペレーションシステムに通知し、少なくとも前記現状態の通知及び前記装置状態の通知を経て前記オペレーションシステムとの接続を確立するようになっており、
前記ネットワークエレメント監視手段の接続インターフェースは、前記ネットワークエレメントの現状態が前記第２状態であるときは、前記運用処理手段の接続インターフェースに対応する処理により前記装置状態通知要求を前記ネットワークエレメントに送信し、前記ネットワークエレメントの現状態が前記第３状態であるときは、前記第２運用処理手段の接続インターフェースに対応する処理により前記装置状態通知要求を前記ネットワークエレメントに送信するようになっていることを特徴とする遠隔局建システム。
【請求項５】
請求項２において、
前記システムファイルは、前記局データファイル及び前記プラグインファイルに基づいて交換局としての運用に必要な処理を行う第１運用処理手段、並びに前記第１運用処理手段とは処理内容が異なる第２運用処理手段のうちいずれか一方を含み、
前記第１運用処理手段は、前記オペレーションシステムとの接続を確立する接続インターフェースを含み、
前記第１運用処理手段の接続インターフェースは、前記ネットワークエレメントの現状態を通知すべき現状態通知要求を受信したときは、前記ネットワークエレメントの現状態として第１状態であることを前記オペレーションシステムに通知し、前記ネットワークエレメントの装置状態を通知すべき装置状態通知要求を受信したときは、前記ネットワークエレメントの装置状態を前記オペレーションシステムに通知し、少なくとも前記現状態の通知及び前記装置状態の通知を経て前記オペレーションシステムとの接続を確立するようになっており、
前記第２運用処理手段は、前記オペレーションシステムとの接続を確立する接続インターフェースを含み、
前記第２運用処理手段の接続インターフェースは、前記現状態通知要求を受信したときは、前記ネットワークエレメントの現状態として第２状態であることを前記オペレーションシステムに通知し、前記装置状態通知要求を受信したときは、前記ネットワークエレメントの装置状態を前記オペレーションシステムに通知し、少なくとも前記現状態の通知及び前記装置状態の通知を経て前記オペレーションシステムとの接続を確立するようになっており、
前記ネットワークエレメント監視手段は、さらに、前記ネットワークエレメントとの接続を確立する接続インターフェースを含み、
前記ネットワークエレメント監視手段の接続インターフェースは、前記現状態通知要求を前記ネットワークエレメントに送信し、その応答として通知された前記ネットワークエレメントの現状態が前記第１状態であるときは、前記第１運用処理手段の接続インターフェースに対応する処理により前記装置状態通知要求を前記ネットワークエレメントに送信し、前記ネットワークエレメントの現状態が前記第２状態であるときは、前記第２運用処理手段の接続インターフェースに対応する処理により前記装置状態通知要求を前記ネットワークエレメントに送信するようになっていることを特徴とする遠隔局建システム。
【請求項６】
請求項１乃至５のいずれかにおいて、
前記局建処理手段は、前記局建データファイルに基づいて局建に必要な処理を行う前記ネットワークエレメントが実行可能な局建処理プログラムであることを特徴とする遠隔局建システム。
【請求項７】
請求項１記載の遠隔局建システムに適用するネットワークエレメントであって、
前記局建データファイルに基づいて局建に必要な処理を行う局建処理手段を備え、
前記局建処理手段は、前記局建データファイルを受信する局建データファイル受信手段と、前記局建データファイル受信手段で受信した局建データファイルを当該ネットワークエレメントが利用可能となるように組み込む局建データファイル組込手段とを有することを特徴とするネットワークエレメント。
【請求項８】
請求項１記載の遠隔局建システムに適用するオペレーションシステムであって、
前記局建データファイルを記憶するための局建データファイル記憶手段と、前記ネットワークエレメントを監視するネットワークエレメント監視手段とを備え、
前記ネットワークエレメント監視手段は、前記ネットワークエレメントの状態に応じて前記局建データファイル記憶手段の局建データファイルを前記ネットワークエレメントに送信する局建データファイル送信手段を有することを特徴とするオペレーションシステム。
【請求項９】
請求項１記載の遠隔局建システムにおける局建処理手段として実現される処理をコンピュータに実行させるためのプログラムであって、
前記局建処理手段は、前記局建データファイルを受信する局建データファイル受信手段と、前記局建データファイル受信手段で受信した局建データファイルを当該ネットワークエレメントが利用可能となるように組み込む局建データファイル組込手段とを備えることを特徴とする局建処理プログラム。
【請求項１０】
請求項１記載の遠隔局建システムにおけるネットワークエレメント監視手段として実現される処理をコンピュータに実行させるためのプログラムであって、
前記ネットワークエレメント監視手段は、前記ネットワークエレメントの状態に応じて前記局建データファイル記憶手段の局建データファイルを前記ネットワークエレメントに送信する局建データファイル送信手段を備えることを特徴とする監視プログラム。
【発明の詳細な説明】
【０００１】
【発明の属する技術分野】
本発明は、交換機等のネットワークエレメントを遠隔で局建するシステム、並びにそのシステムに適用するネットワークエレメント、オペレーションシステムおよびプログラムに係り、特に、局建作業を容易に行うことができる遠隔局建システム、ネットワークエレメント、オペレーションシステム、局建処理プログラム、運用処理プログラムおよび監視プログラムに関する。
【０００２】
【従来の技術】
交換局を新規に立ち上げる局建作業は、インストールキットと呼ばれる局建処理プログラムを局建対象となるネットワークエレメントで実行し、インストールキットにより、交換局としての運用に必要なシステムファイル、局条件を示す局データを含む局データファイルおよび必要なプラグインファイルをネットワークエレメントに組み込むことにより行う。システムファイル、局データファイルおよびプラグインファイル（以下、これらのファイルを総称して局建データファイルという。）は、ＤＡＴ等の情報記憶媒体にあらかじめ書き込んでおく。そして、ネットワークエレメントに情報記憶媒体を挿入し、ネットワークエレメントに直付けした保守運用端末からコマンドを投入し、インストールキットは、シェルを起動して情報記憶媒体から局建データファイルを読み出し、読み出した局建データファイルをネットワークエレメントに組み込む。
【０００３】
ネットワークエレメントは、局建後、オペレーションシステムとネットワークを介して接続を確立し、オペレーションシステムにより監視が行われる。
【０００４】
【発明が解決しようとする課題】
このように、局建作業は、局建対象となるネットワークエレメントに対してオペレータが一つ一つ手作業で行うものである。そのため、局建のたびに、局建データファイルを情報記憶媒体に出力し、ネットワークエレメントに組み込む必要があり、手間が膨大である。また、局建作業中にプラグインが更新されることもあり、その場合は、局建作業を中断して途中からやり直すか、または局建後に新たなプラグインファイルをネットワークエレメントに組み込む必要があり、手間がかかる。
【０００５】
そこで、本発明は、このような従来の技術の有する未解決の課題に着目してなされたものであって、局建作業を容易に行うことができる遠隔局建システム、ネットワークエレメント、オペレーションシステム、局建処理プログラム、運用処理プログラムおよび監視プログラムを提供することを目的としている。
【０００６】
【課題を解決するための手段】
上記目的を達成するために、本発明に係る請求項１記載の遠隔局建システムは、局建対象となるネットワークエレメントと、前記ネットワークエレメントを監視するオペレーションシステムとを通信可能に接続し、前記ネットワークエレメントの局建に必要な局建データファイルを前記オペレーションシステムから前記ネットワークエレメントに転送し、前記局建データファイルに基づいて前記ネットワークエレメントを遠隔で局建するシステムであって、前記オペレーションシステムは、前記局建データファイルを記憶するための局建データファイル記憶手段と、前記ネットワークエレメントを監視するネットワークエレメント監視手段とを有し、前記ネットワークエレメント監視手段は、前記ネットワークエレメントの状態に応じて前記局建データファイル記憶手段の局建データファイルを前記ネットワークエレメントに送信する局建データファイル送信手段を含み、前記ネットワークエレメントは、前記局建データファイルに基づいて局建に必要な処理を行う局建処理手段を有し、前記局建処理手段は、前記局建データファイルを受信する局建データファイル受信手段と、前記局建データファイル受信手段で受信した局建データファイルを当該ネットワークエレメントが利用可能となるように組み込む局建データファイル組込手段とを含む。
【０００７】
このような構成であれば、オペレーションシステムでは、ネットワークエレメント監視手段により、ネットワークエレメントが監視される。ネットワークエレメントの監視中にあっては、局建データファイル送信手段により、ネットワークエレメントの状態に応じて局建データファイル記憶手段の局建データファイルがネットワークエレメントに送信される。
【０００８】
ネットワークエレメントでは、局建処理手段により、局建データファイルに基づいて局建に必要な処理が行われる。ネットワークエレメントの局建中にあっては、局建データファイル受信手段により局建データファイルを受信すると、局建データファイル組込手段により、ネットワークエレメントが利用可能となるように、受信した局建データファイルが組み込まれる。
【０００９】
ここで、局建とは、交換局を立ち上げることをいう。以下、請求項７記載のネットワークエレメント、請求項８記載のオペレーションシステム、請求項９記載の局建処理プログラム、および請求項１０記載の監視プログラムにおいて同じである。
また、ネットワークエレメントの状態としては、例えば、ネットワークエレメントが局建中であることが含まれる。以下、請求項８記載のオペレーションシステム、および請求項１０記載の監視プログラムにおいて同じである。
【００１０】
また、ネットワークエレメントとは、局建対象となる端末、機器、装置その他のネットワーク対応のエレメントをいう。以下、請求項７記載のネットワークエレメント、請求項８記載のオペレーションシステム、請求項９記載の局建処理プログラム、および請求項１０記載の監視プログラムにおいて同じである。
また、オペレーションシステムとは、ネットワークエレメントを監視する端末、機器、装置その他の監視システムをいう。以下、請求項８記載のオペレーションシステムにおいて同じである。
【００１１】
また、局建データファイル記憶手段は、局建データファイルをあらゆる手段でかつあらゆる時期に記憶するものであり、局建データファイルをあらかじめ記憶してあるものであってもよいし、局建データファイルをあらかじめ記憶することなく、本システムの動作時に外部からの入力等によって局建データファイルを記憶するようになっていてもよい。以下、請求項８記載のオペレーションシステム、および請求項１０記載の監視プログラムにおいて同じである。
【００１２】
さらに、本発明に係る請求項２記載の遠隔局建システムは、請求項１記載の遠隔局建システムにおいて、前記局建データファイルは、交換局としての運用に必要なシステムファイルと、局条件を示す局データを含む局データファイルと、必要なプラグインファイルとからなる。
このような構成であれば、オペレーションシステムでは、局建データファイル送信手段により、ネットワークエレメントの状態に応じて、局建データファイル記憶手段のシステムファイル、局データファイルおよび必要なプラグインファイルがネットワークエレメントに送信される。
【００１３】
ネットワークエレメントでは、局建データファイル受信手段により、システムファイル、局データファイルおよび必要なプラグインファイルを受信すると、局建データファイル組込手段により、ネットワークエレメントが利用可能となるように、受信したシステムファイル、局データファイルおよび必要なプラグインファイルが組み込まれる。
【００１４】
さらに、本発明に係る請求項３記載の遠隔局建システムは、請求項２記載の遠隔局建システムにおいて、前記システムファイルは、前記局データファイルおよび前記プラグインファイルに基づいて交換局としての運用に必要な処理を行う運用処理手段を含み、前記局建処理手段は、さらに、前記オペレーションシステムとの接続を確立する接続インターフェースを含み、前記局建処理手段の接続インターフェースは、前記ネットワークエレメントの現状態を通知すべき現状態通知要求を受信したときは、前記ネットワークエレメントの現状態として第１状態であることを前記オペレーションシステムに通知し、少なくとも前記現状態の通知を経て前記オペレーションシステムとの接続を確立するようになっており、前記運用処理手段は、前記オペレーションシステムとの接続を確立する接続インターフェースを含み、前記運用処理手段の接続インターフェースは、前記現状態通知要求を受信したときは、前記ネットワークエレメントの現状態として第２状態であることを前記オペレーションシステムに通知し、前記ネットワークエレメントの装置状態を通知すべき装置状態通知要求を受信したときは、前記ネットワークエレメントの装置状態を前記オペレーションシステムに通知し、少なくとも前記現状態の通知および前記装置状態の通知を経て前記オペレーションシステムとの接続を確立するようになっており、前記ネットワークエレメント監視手段は、さらに、前記ネットワークエレメントとの接続を確立する接続インターフェースを含み、前記ネットワークエレメント監視手段の接続インターフェースは、前記現状態通知要求を前記ネットワークエレメントに送信し、その応答として通知された前記ネットワークエレメントの現状態が前記第２状態であるときは、前記装置状態通知要求を前記ネットワークエレメントに送信するようになっている。
【００１５】
このような構成であれば、オペレーションシステムでは、その接続インターフェースにより、ネットワークエレメントに現状態通知要求が送信される。
ネットワークエレメントでは、局建中にあっては局建処理手段による局建処理が行われているので、局建中に現状態通知要求を受信すると、局建処理手段の接続インターフェースにより、ネットワークエレメントの現状態として第１状態であることがオペレーションシステムに通知される。
【００１６】
オペレーションシステムでは、現状態の通知を受信すると、通知されたネットワークエレメントの現状態が第１状態であるので、これによりネットワークエレメントとの接続が確立される。なお、ネットワークエレメントとの接続が確立されると、局建中であるので、システムファイル、局データファイルおよび必要なプラグインファイルの転送が開始される。
【００１７】
一方、ネットワークエレメントでは、局建後の運用中にあってはシステムファイルが組み込まれて運用処理手段による運用処理が行われているので、局建後の運用中に現状態通知要求を受信すると、運用処理手段の接続インターフェースにより、ネットワークエレメントの現状態として第２状態であることがオペレーションシステムに通知される。
【００１８】
オペレーションシステムでは、現状態の通知を受信すると、通知されたネットワークエレメントの現状態が第２状態であるので、その接続インターフェースにより、ネットワークエレメントに装置状態通知要求が送信される。
ネットワークエレメントでは、装置状態通知要求を受信すると、運用処理手段の接続インターフェースにより、ネットワークエレメントの装置状態がオペレーションシステムに通知される。
【００１９】
オペレーションシステムでは、装置状態の通知を受信すると、これによりネットワークエレメントとの接続が確立される。
さらに、本発明に係る請求項４記載の遠隔局建システムは、請求項３記載の遠隔局建システムにおいて、前記システムファイルは、前記運用処理手段および前記運用処理手段とは処理内容が異なる第２運用処理手段のうちいずれか一方を含み、前記第２運用処理手段は、前記オペレーションシステムとの接続を確立する接続インターフェースを含み、前記第２運用処理手段の接続インターフェースは、前記現状態通知要求を受信したときは、前記ネットワークエレメントの現状態として第３状態であることを前記オペレーションシステムに通知し、前記装置状態通知要求を受信したときは、前記ネットワークエレメントの装置状態を前記オペレーションシステムに通知し、少なくとも前記現状態の通知および前記装置状態の通知を経て前記オペレーションシステムとの接続を確立するようになっており、前記ネットワークエレメント監視手段の接続インターフェースは、前記ネットワークエレメントの現状態が前記第２状態であるときは、前記運用処理手段の接続インターフェースに対応する処理により前記装置状態通知要求を前記ネットワークエレメントに送信し、前記ネットワークエレメントの現状態が前記第３状態であるときは、前記第２運用処理手段の接続インターフェースに対応する処理により前記装置状態通知要求を前記ネットワークエレメントに送信するようになっている。
【００２０】
このような構成であれば、ネットワークエレメントでは、運用処理手段を含むシステムファイルが組み込まれた場合、局建後の運用中に現状態通知要求を受信すると、運用処理手段の接続インターフェースにより、ネットワークエレメントの現状態として第２状態であることがオペレーションシステムに通知される。
オペレーションシステムでは、現状態の通知を受信すると、通知されたネットワークエレメントの現状態が第２状態であるので、運用処理手段の接続インターフェースに対応する処理により、ネットワークエレメントに装置状態通知要求が送信される。ここで、運用処理手段の接続インターフェースに対応する処理が行われるので、運用処理手段を含むシステムファイルが組み込まれたネットワークエレメントであっても、その接続インターフェースと通信を行うことが可能となる。
【００２１】
ネットワークエレメントでは、装置状態通知要求を受信すると、運用処理手段の接続インターフェースにより、ネットワークエレメントの装置状態がオペレーションシステムに通知される。
オペレーションシステムでは、装置状態の通知を受信すると、これによりネットワークエレメントとの接続が確立される。
【００２２】
一方、ネットワークエレメントでは、第２運用処理手段を含むシステムファイルが組み込まれた場合、局建後の運用中に現状態通知要求を受信すると、第２運用処理手段の接続インターフェースにより、ネットワークエレメントの現状態として第３状態であることがオペレーションシステムに通知される。
オペレーションシステムでは、現状態の通知を受信すると、通知されたネットワークエレメントの現状態が第３状態であるので、第２運用処理手段の接続インターフェースに対応する処理により、ネットワークエレメントに装置状態通知要求が送信される。ここで、第２運用処理手段の接続インターフェースに対応する処理が行われるので、第２運用処理手段を含むシステムファイルが組み込まれたネットワークエレメントであっても、その接続インターフェースと通信を行うことが可能となる。
【００２３】
ネットワークエレメントでは、装置状態通知要求を受信すると、第２運用処理手段の接続インターフェースにより、ネットワークエレメントの装置状態がオペレーションシステムに通知される。
オペレーションシステムでは、装置状態の通知を受信すると、これによりネットワークエレメントとの接続が確立される。
【００２４】
さらに、本発明に係る請求項５記載の遠隔局建システムは、請求項２記載の遠隔局建システムにおいて、前記システムファイルは、前記局データファイルおよび前記プラグインファイルに基づいて交換局としての運用に必要な処理を行う第１運用処理手段、並びに前記第１運用処理手段とは処理内容が異なる第２運用処理手段のうちいずれか一方を含み、前記第１運用処理手段は、前記オペレーションシステムとの接続を確立する接続インターフェースを含み、前記第１運用処理手段の接続インターフェースは、前記ネットワークエレメントの現状態を通知すべき現状態通知要求を受信したときは、前記ネットワークエレメントの現状態として第１状態であることを前記オペレーションシステムに通知し、前記ネットワークエレメントの装置状態を通知すべき装置状態通知要求を受信したときは、前記ネットワークエレメントの装置状態を前記オペレーションシステムに通知し、少なくとも前記現状態の通知および前記装置状態の通知を経て前記オペレーションシステムとの接続を確立するようになっており、前記第２運用処理手段は、前記オペレーションシステムとの接続を確立する接続インターフェースを含み、前記第２運用処理手段の接続インターフェースは、前記現状態通知要求を受信したときは、前記ネットワークエレメントの現状態として第２状態であることを前記オペレーションシステムに通知し、前記装置状態通知要求を受信したときは、前記ネットワークエレメントの装置状態を前記オペレーションシステムに通知し、少なくとも前記現状態の通知および前記装置状態の通知を経て前記オペレーションシステムとの接続を確立するようになっており、前記ネットワークエレメント監視手段は、さらに、前記ネットワークエレメントとの接続を確立する接続インターフェースを含み、前記ネットワークエレメント監視手段の接続インターフェースは、前記現状態通知要求を前記ネットワークエレメントに送信し、その応答として通知された前記ネットワークエレメントの現状態が前記第１状態であるときは、前記第１運用処理手段の接続インターフェースに対応する処理により前記装置状態通知要求を前記ネットワークエレメントに送信し、前記ネットワークエレメントの現状態が前記第２状態であるときは、前記第２運用処理手段の接続インターフェースに対応する処理により前記装置状態通知要求を前記ネットワークエレメントに送信するようになっている。
【００２５】
このような構成であれば、ネットワークエレメントでは、第１運用処理手段を含むシステムファイルが組み込まれた場合、局建後の運用中にあってはシステムファイルが組み込まれて第１運用処理手段による運用処理が行われているので、局建後の運用中に現状態通知要求を受信すると、第１運用処理手段の接続インターフェースにより、ネットワークエレメントの現状態として第１状態であることがオペレーションシステムに通知される。
【００２６】
オペレーションシステムでは、現状態の通知を受信すると、通知されたネットワークエレメントの現状態が第１状態であるので、第１運用処理手段の接続インターフェースに対応する処理により、ネットワークエレメントに装置状態通知要求が送信される。ここで、第１運用処理手段の接続インターフェースに対応する処理が行われるので、第１運用処理手段を含むシステムファイルが組み込まれたネットワークエレメントであっても、その接続インターフェースと通信を行うことが可能となる。
【００２７】
ネットワークエレメントでは、装置状態通知要求を受信すると、第１運用処理手段の接続インターフェースにより、ネットワークエレメントの装置状態がオペレーションシステムに通知される。
オペレーションシステムでは、装置状態の通知を受信すると、これによりネットワークエレメントとの接続が確立される。
【００２８】
一方、ネットワークエレメントでは、第２運用処理手段を含むシステムファイルが組み込まれた場合、局建後の運用中にあってはシステムファイルが組み込まれて第２運用処理手段による運用処理が行われているので、局建後の運用中に現状態通知要求を受信すると、第２運用処理手段の接続インターフェースにより、ネットワークエレメントの現状態として第２状態であることがオペレーションシステムに通知される。
【００２９】
オペレーションシステムでは、現状態の通知を受信すると、通知されたネットワークエレメントの現状態が第２状態であるので、第２運用処理手段の接続インターフェースに対応する処理により、ネットワークエレメントに装置状態通知要求が送信される。ここで、第２運用処理手段の接続インターフェースに対応する処理が行われるので、第２運用処理手段を含むシステムファイルが組み込まれたネットワークエレメントであっても、その接続インターフェースと通信を行うことが可能となる。
【００３０】
ネットワークエレメントでは、装置状態通知要求を受信すると、第２運用処理手段の接続インターフェースにより、ネットワークエレメントの装置状態がオペレーションシステムに通知される。
オペレーションシステムでは、装置状態の通知を受信すると、これによりネットワークエレメントとの接続が確立される。
【００３１】
さらに、本発明に係る請求項６記載の遠隔局建システムは、請求項１ないし５のいずれかに記載の遠隔局建システムにおいて、前記局建処理手段は、前記局建データファイルに基づいて局建に必要な処理を行う前記ネットワークエレメントが実行可能な局建処理プログラムである。
このような構成であれば、ネットワークエレメントでは、局建処理プログラムが実行され、局建データファイル受信手段により局建データファイルを受信すると、局建データファイル組込手段により、ネットワークエレメントが利用可能となるように、受信した局建データファイルが組み込まれる。
【００３２】
一方、上記目的を達成するために、本発明に係る請求項７記載のネットワークエレメントは、請求項１記載の遠隔局建システムに適用するネットワークエレメントであって、前記局建データファイルに基づいて局建に必要な処理を行う局建処理手段を備え、前記局建処理手段は、前記局建データファイルを受信する局建データファイル受信手段と、前記局建データファイル受信手段で受信した局建データファイルを当該ネットワークエレメントが利用可能となるように組み込む局建データファイル組込手段とを有する。
【００３３】
このような構成であれば、請求項１記載の遠隔局建システムにおけるネットワークエレメントと同等の作用が得られる。
一方、上記目的を達成するために、本発明に係る請求項８記載のオペレーションシステムは、請求項１記載の遠隔局建システムに適用するオペレーションシステムであって、前記局建データファイルを記憶するための局建データファイル記憶手段と、前記ネットワークエレメントを監視するネットワークエレメント監視手段とを備え、前記ネットワークエレメント監視手段は、前記ネットワークエレメントの状態に応じて前記局建データファイル記憶手段の局建データファイルを前記ネットワークエレメントに送信する局建データファイル送信手段を有する。
【００３４】
このような構成であれば、請求項１記載の遠隔局建システムにおけるオペレーションシステムと同等の作用が得られる。
一方、上記目的を達成するために、本発明に係る請求項９記載の局建処理プログラムは、請求項１記載の遠隔局建システムにおける局建処理手段として実現される処理をコンピュータに実行させるためのプログラムであって、前記局建処理手段は、前記局建データファイルを受信する局建データファイル受信手段と、前記局建データファイル受信手段で受信した局建データファイルを当該ネットワークエレメントが利用可能となるように組み込む局建データファイル組込手段とを備える。
【００３５】
このような構成であれば、コンピュータによってプログラムが読み取られ、読み取られたプログラムに従ってコンピュータが処理を実行すると、請求項１記載の遠隔局建システムにおけるネットワークエレメントと同等の作用が得られる。一方、上記目的を達成するために、本発明に係る請求項１０記載の監視プログラムは、請求項１記載の遠隔局建システムにおけるネットワークエレメント監視手段として実現される処理をコンピュータに実行させるためのプログラムであって、前記ネットワークエレメント監視手段は、前記ネットワークエレメントの状態に応じて前記局建データファイル記憶手段の局建データファイルを前記ネットワークエレメントに送信する局建データファイル送信手段を備える。
【００３６】
このような構成であれば、コンピュータによってプログラムが読み取られ、読み取られたプログラムに従ってコンピュータが処理を実行すると、請求項１記載の遠隔局建システムにおけるオペレーションシステムと同等の作用が得られる。
【００３７】
【発明の実施の形態】
以下、本発明の実施の形態を図面を参照しながら説明する。図１ないし図１６は、本発明に係る遠隔局建システム、ネットワークエレメント、オペレーションシステム、局建処理プログラム、運用処理プログラムおよび監視プログラムの実施の形態を示す図である。
【００３８】
本実施の形態は、本発明に係る遠隔局建システム、ネットワークエレメント、オペレーションシステム、局建処理プログラム、運用処理プログラムおよび監視プログラムを、図１に示すように、オペレーションシステム１００においてネットワークエレメント２００を遠隔で局建する場合について適用したものである。まず、本発明を適用する遠隔局建システムの構成を図１を参照しながら説明する。図１は、本発明を適用する遠隔局建システムの構成を示すブロック図である。
【００３９】
ネットワーク１９９には、図１に示すように、オペレーションセンタに設置されたオペレーションシステム（以下、オペレーションシステムのことをＯＰＳと略記することがある。）１００と、複数の局舎のそれぞれに設置されたネットワークエレメント（以下、ネットワークエレメントのことをＮＥと略記することがある。）２００とが接続されている。
【００４０】
ネットワークエレメント２００のなかには、既に局建作業済みで通常運用が行われているネットワークエレメント２００もあれば、まだ局建作業を行っていない局建対象となるネットワークエレメント２００が含まれる。また、オペレーションシステム１００は、各ネットワークエレメント２００と接続を確立し、局建中および局建後の通常運用中において各ネットワークエレメント２００を監視するようになっている。
【００４１】
次に、オペレーションシステム１００の構成を図２を参照しながら詳細に説明する。図２は、オペレーションシステム１００の構成を示すブロック図である。オペレーションシステム１００は、ファイル管理サーバおよびＮＥ集約管理サーバを構成し、図２に示すように、制御プログラムに基づいて演算およびシステム全体を制御するＣＰＵ３０と、所定領域にあらかじめＣＰＵ３０の制御プログラム等を格納しているＲＯＭ３２と、ＲＯＭ３２等から読み出したデータやＣＰＵ３０の演算過程で必要な演算結果を格納するためのＲＡＭ３４と、外部装置に対してデータの入出力を媒介するＩ／Ｆ３８とで構成されており、これらは、データを転送するための信号線であるバス３９で相互にかつデータ授受可能に接続されている。
【００４２】
Ｉ／Ｆ３８には、外部装置として、ヒューマンインターフェースとしてデータの入力が可能なキーボードやマウス等からなる入力装置４０と、データやテーブル等をファイルとして格納する記憶装置４２と、画像信号に基づいて画面を表示する表示装置４４と、ネットワーク１９９に接続するための信号線とが接続されている。
【００４３】
記憶装置４２には、ネットワークエレメント２００の局建に必要な局建データファイルが記憶されている。局建データファイルは、交換局としての運用に必要なシステムファイルと、局条件を示す局データを含む局データファイルと、必要なプラグインファイルとからなる。
システムファイルは、局データファイルおよびプラグインファイルに基づいて交換局としての運用に必要な処理を行う旧運用処理プログラム、並びに旧運用処理プログラムとは処理内容が異なる新運用処理プログラムのうちいずれか一方を含んでいる。新運用処理プログラムは、旧運用処理プログラムより新しいバージョンのプログラムであり、局建時には、新運用処理プログラムを含むシステムファイルをネットワークエレメント２００に提供するのが通常である。これに対して、旧運用処理プログラムは、新運用処理プログラムが開発される前までネットワークエレメント２００に提供されていたものであり、局建時に提供することはないが、局建作業済みのネットワークエレメント２００のなかには、新運用処理プログラムが開発される前に局建されたものもあり、旧運用処理プログラムを含むシステムファイルが組み込まれたものも存在する。
【００４４】
ＣＰＵ３０は、マイクロプロセッシングユニットＭＰＵ等からなり、ＲＯＭ３２の所定領域に格納されている所定のプログラムを起動させ、そのプログラムに従って、図３のネットワークエレメント監視処理を実行するようになっている。図３は、ネットワークエレメント監視処理を示すフローチャートである。
ネットワークエレメント監視処理は、局建中および局建後の通常運用中において各ネットワークエレメント２００を監視する処理であって、ＣＰＵ３０において実行されると、図３に示すように、まず、ステップＳ１００に移行するようになっている。
【００４５】
ステップＳ１００では、ネットワークエレメント２００とのコネクションを設定し、ステップＳ１０２に移行して、ヘルスチェック要求をネットワークエレメント２００に送信し、ステップＳ１０４に移行して、ヘルスチェック応答を受信したか否かを判定し、ヘルスチェック応答を受信したと判定したとき（Ｙｅｓ）は、ステップＳ１０６に移行する。ここで、ヘルスチェック要求およびヘルスチェック応答は、ネットワークエレメント２００のアプリケーションレベルの起動確認用の電文である。
【００４６】
ステップＳ１０６では、現状態通知要求をネットワークエレメント２００に送信し、ステップＳ１０８に移行して、現状態通知を受信したか否かを判定し、現状態通知を受信したと判定したとき（Ｙｅｓ）は、ステップＳ１１０に移行する。ここで、現状態通知要求および現状態通知は、ネットワークエレメント２００の現在のシステム状態（どのような状態かおよびどのようなＯＳ（Ｏｐｅｒａｔｉｎｇ　Ｓｙｓｔｅｍ）バージョンで稼働しているか）を通知する電文である。
【００４７】
ステップＳ１１０では、通知されたネットワークエレメント２００の現状態が状態Ａ（局建中であることを示す状態）であるか否かを判定し、ネットワークエレメント２００の現状態が状態Ａであると判定したとき（Ｙｅｓ）は、ステップＳ１１２に移行して、監視開始要求をネットワークエレメント２００に送信し、ステップＳ１１４に移行して、監視開始応答を受信したか否かを判定し、監視開始応答を受信したと判定したとき（Ｙｅｓ）は、ステップＳ１１６に移行する。ここで、監視開始要求および監視開始応答は、オペレーションシステム１００で監視を開始することをネットワークエレメント２００に通知する電文である。
【００４８】
ステップＳ１１６では、通知されたネットワークエレメント２００の現状態が状態Ａであるか否かを判定し、ネットワークエレメント２００の現状態が状態Ａであると判定したとき（Ｙｅｓ）は、ステップＳ１１８に移行して、局建中のネットワークエレメント２００を監視する局建監視処理を実行し、ステップＳ１２０に移行する。なお、局建監視処理については後段で詳述する。
【００４９】
ステップＳ１２０では、局建監視処理を終了するか否かを判定し、局建監視処理を終了すると判定したとき（Ｙｅｓ）は、ステップＳ１２２に移行して、ネットワークエレメント２００との接続を解放する接続解放処理を実行し、一連の処理を終了して元の処理に復帰させる。なお、接続解放処理については後段で詳述する。
【００５０】
一方、ステップＳ１２０で、局建監視処理を終了しないと判定したとき（Ｎｏ）は、ステップＳ１１８に移行する。
一方、ステップＳ１１０で、通知されたネットワークエレメント２００の現状態が状態Ａでないと判定したとき（Ｎｏ）は、ステップＳ１２４に移行して、通知されたネットワークエレメント２００の現状態が状態Ｂ（旧運用処理プログラムにより通常運用中であることを示す状態）であるか否かを判定し、ネットワークエレメント２００の現状態が状態Ｂであると判定したとき（Ｙｅｓ）は、ステップＳ１２６に移行する。
【００５１】
ステップＳ１２６では、旧運用処理プログラムに対応する処理により装置状態通知要求をネットワークエレメント２００に送信し、ステップＳ１２８に移行して、旧運用処理プログラムに対応する処理により装置状態通知を受信したか否かを判定し、装置状態通知を受信したと判定したとき（Ｙｅｓ）は、ステップＳ１１２に移行する。ここで、装置状態通知要求および装置状態通知は、ネットワークエレメント２００の各プロセッサの状態および各プロセッサに搭載されている個々のパッケージ状態（どのような状態かおよびどのようなＯＳバージョンで稼働しているか）を通知する電文である。
【００５２】
一方、ステップＳ１２８で、旧運用処理プログラムに対応する処理により装置状態通知を受信しないと判定したとき（Ｎｏ）は、装置状態通知を受信するまでステップＳ１２８で待機する。なお、装置状態通知要求を送信してから所定時間（例えば、１分）が経過するまでに装置状態通知を受信しない場合は、タイムアウトし、接続確立が失敗したものとして処理する。
【００５３】
一方、ステップＳ１１６で、通知されたネットワークエレメント２００の現状態が状態Ａでないと判定したとき（Ｎｏ）は、ステップＳ１３０に移行して、通常運用中のネットワークエレメント２００を監視する通常運用監視処理を実行し、ステップＳ１３２に移行する。
ステップＳ１３２では、通常運用監視処理を終了するか否かを判定し、通常運用監視処理を終了すると判定したとき（Ｙｅｓ）は、ステップＳ１３４に移行して、ネットワークエレメント２００との接続を解放する接続解放処理を実行し、一連の処理を終了して元の処理に復帰させる。
【００５４】
一方、ステップＳ１３２で、通常運用監視処理を終了しないと判定したとき（Ｎｏ）は、ステップＳ１３０に移行する。
一方、ステップＳ１２４で、通知されたネットワークエレメント２００の現状態が状態Ｂでないと判定したとき（Ｎｏ）は、ステップＳ１３６に移行して、通知されたネットワークエレメント２００の現状態が状態Ｃ（新運用処理プログラムにより通常運用中であることを示す状態）であるか否かを判定し、ネットワークエレメント２００の状態が状態Ｃであると判定したとき（Ｙｅｓ）は、ステップＳ１３８に移行する。
【００５５】
ステップＳ１３８では、新運用処理プログラムに対応する処理により装置状態通知要求をネットワークエレメント２００に送信し、ステップＳ１４０に移行して、新運用処理プログラムに対応する処理により装置状態通知を受信したか否かを判定し、装置状態通知を受信したと判定したとき（Ｙｅｓ）は、ステップＳ１１２に移行する。
【００５６】
一方、ステップＳ１４０で、新運用処理プログラムに対応する処理により装置状態通知を受信しないと判定したとき（Ｎｏ）は、装置状態通知を受信するまでステップＳ１４０で待機する。なお、装置状態通知要求を送信してから所定時間（例えば、１分）が経過するまでに装置状態通知を受信しない場合は、タイムアウトし、接続確立が失敗したものとして処理する。
【００５７】
一方、ステップＳ１３６で、通知されたネットワークエレメント２００の現状態が状態Ｃでないと判定したとき（Ｎｏ）は、一連の処理を終了して元の処理に復帰させる。
一方、ステップＳ１１４で、監視開始応答を受信しないと判定したとき（Ｎｏ）は、監視開始応答を受信するまでステップＳ１１４で待機する。なお、監視開始要求を送信してから所定時間（例えば、１０秒）が経過するまでに監視開始応答を受信しない場合は、タイムアウトし、接続確立が失敗したものとして処理する。
【００５８】
一方、ステップＳ１０８で、現状態通知を受信しないと判定したとき（Ｎｏ）は、現状態通知を受信するまでステップＳ１０８で待機する。なお、現状態通知要求を送信してから所定時間（例えば、１分）が経過するまでに現状態通知を受信しない場合は、タイムアウトし、接続確立が失敗したものとして処理する。
一方、ステップＳ１０４で、ヘルスチェック応答を受信しないと判定したとき（Ｎｏ）は、ヘルスチェック応答を受信するまでステップＳ１０４で待機する。なお、コネクションを設定してから所定時間（例えば、１０秒）が経過するまでにヘルスチェック応答を受信しない場合は、タイムアウトし、接続確立が失敗したものとして処理する。
【００５９】
次に、上記ステップＳ１１８の局建監視処理を図４を参照しながら詳細に説明する。図４は、局建監視処理を示すフローチャートである。
局建監視処理は、局建中のネットワークエレメント２００を監視する処理であって、上記ステップＳ１１８において実行されると、図４に示すように、まず、ステップＳ２００に移行するようになっている。
【００６０】
ステップＳ２００では、局建データファイルのうちシステムファイルを記憶装置４２から読み出し、ステップＳ２０２に移行して、読み出したシステムファイルをネットワークエレメント２００に送信し、ステップＳ２０４に移行する。
ステップＳ２０４では、局建データファイルのうちプラグインファイルを記憶装置４２から読み出し、ステップＳ２０６に移行して、読み出したプラグインファイルをネットワークエレメント２００に送信し、ステップＳ２０８に移行する。
【００６１】
ステップＳ２０８では、局建データファイルのうち局データファイルを記憶装置４２から読み出し、ステップＳ２１０に移行して、読み出した局データファイルをネットワークエレメント２００に送信し、一連の処理を終了して元の処理に復帰させる。
なお、ステップＳ２００〜Ｓ２１０の処理は、表示装置４４に表示されるＧＵＩをオペレータが操作し、オペレータの操作に応じて行うようになっている。
【００６２】
次に、上記ステップＳ１２２，Ｓ１３４の接続解放処理を図５を参照しながら詳細に説明する。図５は、接続解放処理を示すフローチャートである。
接続解放処理は、ネットワークエレメント２００との接続を解放する処理であって、上記ステップＳ１２２，Ｓ１３４において実行されると、図５に示すように、まず、ステップＳ３００に移行するようになっている。
【００６３】
ステップＳ３００では、監視終了要求をネットワークエレメント２００に送信し、ステップＳ３０２に移行して、監視終了応答を受信したか否かを判定し、監視終了応答を受信したと判定したとき（Ｙｅｓ）は、ステップＳ３０４に移行する。ここで、監視終了要求および監視終了応答は、オペレーションシステム１００で監視を終了することをネットワークエレメント２００に通知する電文である。
【００６４】
ステップＳ３０４では、ネットワークエレメント２００とのコネクションを解放し、一連の処理を終了して元の処理に復帰させる。
一方、ステップＳ３０２で、監視終了応答を受信しないと判定したとき（Ｎｏ）は、監視終了応答を受信するまでステップＳ３０２で待機する。なお、監視終了要求を送信してから所定時間（例えば、１０秒）が経過するまでに監視終了応答を受信しない場合は、タイムアウトし、接続解放が失敗したものとして処理する。
【００６５】
次に、ネットワークエレメント２００の構成を図６を参照しながら詳細に説明する。図６は、ネットワークエレメント２００の構成を示すブロック図である。ネットワークエレメント２００は、蓄積プログラム型電子交換機を構成し、図６に示すように、制御プログラムに基づいて演算およびシステム全体を制御するＣＰＵ５０と、所定領域にあらかじめＣＰＵ５０の制御プログラム等を格納しているＲＯＭ５２と、ＲＯＭ５２等から読み出したデータやＣＰＵ５０の演算過程で必要な演算結果を格納するためのＲＡＭ５４と、外部装置に対してデータの入出力を媒介するＩ／Ｆ５８とで構成されており、これらは、データを転送するための信号線であるバス５９で相互にかつデータ授受可能に接続されている。
【００６６】
Ｉ／Ｆ５８には、外部装置として、ヒューマンインターフェースとしてデータの入力が可能なキーボードやマウス等からなる入力装置６０と、データやテーブル等をファイルとして格納する記憶装置６２と、画像信号に基づいて画面を表示する表示装置６４と、ネットワーク１９９に接続するための信号線とが接続されている。
【００６７】
記憶装置６２には、インストールキットを含む局建処理ファイルが記憶されている。
ＣＰＵ５０は、マイクロプロセッシングユニットＭＰＵ等からなり、ＲＯＭ５２の所定領域に格納されている所定のプログラムを起動させ、そのプログラムに従って、図７の局建処理を実行するようになっている。図７は、局建処理を示すフローチャートである。
【００６８】
局建処理は、局建処理ファイルを記憶装置６２から読み出し、読み出した局建処理ファイルに含まれるインストールキットを実行することにより実現される処理であって、ＣＰＵ５０において実行されると、図７に示すように、まず、ステップＳ４００に移行するようになっている。
ステップＳ４００では、ネットワークエレメント２００にＯＳをインストールし、ステップＳ４０２に移行して、オペレーションシステム１００との接続を確立する接続確立処理を実行し、ステップＳ４０４に移行する。なお、接続確立処理については後段で詳述する。
【００６９】
ステップＳ４０４では、局建データファイルのうちシステムファイルを受信し、ステップＳ４０６に移行して、局建データファイルのうちプラグインファイルを受信し、ステップＳ４０８に移行して、局建データファイルのうち局データファイルを受信し、ステップＳ４１０に移行する。
ステップＳ４１０では、受信したシステムファイル、プラグインファイルおよび局データファイルをＯＳに組み込み、ステップＳ４１２に移行する。局建データファイルの組込では、システムファイルに含まれる旧運用処理プログラムまたは新運用処理プログラムが起動とともに実行可能となるようにＩＰＬ（Ｉｎｉｔｉａｌ　Ｐｒｏｇｒａｍ　Ｌｏａｄｅｒ）を書き換えたりする。
【００７０】
ステップＳ４１２では、ＯＳを再起動し、ステップＳ４１４に移行して、システムファイルに含まれる旧運用処理プログラムまたは新運用処理プログラムを起動とともに実行し、ステップＳ４１６に移行して、プロセッサの二重化および正常性の確認等を行う後処理を実行し、一連の処理を終了して元の処理に復帰させる。
【００７１】
次に、上記ステップＳ４０２の接続確立処理を図８を参照しながら詳細に説明する。図８は、接続確立処理を示すフローチャートである。
接続確立処理は、オペレーションシステム１００との接続を確立する処理であって、上記ステップＳ４０２において実行されると、図８に示すように、まず、ステップＳ５００に移行するようになっている。
【００７２】
ステップＳ５００では、オペレーションシステム１００とのコネクションを設定し、ステップＳ５０２に移行して、ヘルスチェック要求を受信したか否かを判定し、ヘルスチェック要求を受信したと判定したとき（Ｙｅｓ）は、ステップＳ５０４に移行して、ヘルスチェック応答をオペレーションシステム１００に送信し、ステップＳ５０６に移行する。
【００７３】
ステップＳ５０６では、現状態通知要求を受信したか否かを判定し、現状態通知要求を受信したと判定したとき（Ｙｅｓ）は、ステップＳ５０８に移行して、ネットワークエレメント２００の現状態として状態Ａであることをオペレーションシステム１００に通知し、ステップＳ５１０に移行する。
ステップＳ５１０では、監視開始要求を受信したか否かを判定し、監視開始要求を受信したと判定したとき（Ｙｅｓ）は、ステップＳ５１２に移行して、監視開始応答をオペレーションシステム１００に送信し、一連の処理を終了して元の処理に復帰させる。
【００７４】
一方、ステップＳ５１０で、監視開始要求を受信しないと判定したとき（Ｎｏ）は、監視開始要求を受信するまでステップＳ５１０で待機する。
一方、ステップＳ５０６で、現状態通知要求を受信しないと判定したとき（Ｎｏ）は、現状態通知要求を受信するまでステップＳ５０６で待機する。
一方、ステップＳ５０２で、ヘルスチェック要求を受信しないと判定したとき（Ｎｏ）は、ヘルスチェック要求を受信するまでステップＳ５０２で待機する。
【００７５】
次に、旧運用処理プログラムによる通常運用処理を図９を参照しながら詳細に説明する。図９は、旧運用処理プログラムによる通常運用処理を示すフローチャートである。
旧運用処理プログラムによる通常運用処理は、局建後にネットワークエレメント２００を運用する処理であって、上記ステップＳ４１４において実行されると、図９に示すように、まず、ステップＳ６００に移行するようになっている。
【００７６】
ステップＳ６００では、オペレーションシステム１００とのコネクションを設定し、ステップＳ６０２に移行して、ヘルスチェック要求を受信したか否かを判定し、ヘルスチェック要求を受信したと判定したとき（Ｙｅｓ）は、ステップＳ６０４に移行して、ヘルスチェック応答をオペレーションシステム１００に送信し、ステップＳ６０６に移行する。
【００７７】
ステップＳ６０６では、現状態通知要求を受信したか否かを判定し、現状態通知要求を受信したと判定したとき（Ｙｅｓ）は、ステップＳ６０８に移行して、ネットワークエレメント２００の現状態として状態Ｂであることをオペレーションシステム１００に通知し、ステップＳ６１０に移行する。
ステップＳ６１０では、装置状態通知要求を受信したか否かを判定し、装置状態通知要求を受信したと判定したとき（Ｙｅｓ）は、ステップＳ６１２に移行して、ネットワークエレメント２００の装置状態を通知し、ステップＳ６１４に移行する。
【００７８】
ステップＳ６１４では、監視開始要求を受信したか否かを判定し、監視開始要求を受信したと判定したとき（Ｙｅｓ）は、ステップＳ６１６に移行して、監視開始応答をオペレーションシステム１００に送信し、ステップＳ６１８に移行する。ステップＳ６１８では、局建後にネットワークエレメント２００を運用する通常運用処理を実行し、ステップＳ６２０に移行して、通常運用処理を終了するか否かを判定し、通常運用処理を終了すると判定したとき（Ｙｅｓ）は、ステップＳ６２２に移行して、オペレーションシステム１００との接続を解放する接続解放処理を実行し、一連の処理を終了して元の処理に復帰させる。なお、接続解放処理については後段で詳述する。
【００７９】
一方、ステップＳ６２０で、通常運用処理を終了しないと判定したとき（Ｎｏ）は、ステップＳ６１８に移行する。
一方、ステップＳ６１４で、監視開始要求を受信しないと判定したとき（Ｎｏ）は、監視開始要求を受信するまでステップＳ６１４で待機する。
一方、ステップＳ６１０で、装置状態通知要求を受信しないと判定したとき（Ｎｏ）は、装置状態通知要求を受信するまでステップＳ６１０で待機する。
【００８０】
一方、ステップＳ６０６で、現状態通知要求を受信しないと判定したとき（Ｎｏ）は、現状態通知要求を受信するまでステップＳ６０６で待機する。
一方、ステップＳ６０２で、ヘルスチェック要求を受信しないと判定したとき（Ｎｏ）は、ヘルスチェック要求を受信するまでステップＳ６０２で待機する。
次に、新運用処理プログラムによる通常運用処理を図１０を参照しながら詳細に説明する。図１０は、新運用処理プログラムによる通常運用処理を示すフローチャートである。
【００８１】
新運用処理プログラムによる通常運用処理は、局建後にネットワークエレメント２００を運用する処理であって、上記ステップＳ４１４において実行されると、図１０に示すように、まず、ステップＳ７００に移行するようになっている。ステップＳ７００では、オペレーションシステム１００とのコネクションを設定し、ステップＳ７０２に移行して、ヘルスチェック要求を受信したか否かを判定し、ヘルスチェック要求を受信したと判定したとき（Ｙｅｓ）は、ステップＳ７０４に移行して、ヘルスチェック応答をオペレーションシステム１００に送信し、ステップＳ７０６に移行する。
【００８２】
ステップＳ７０６では、現状態通知要求を受信したか否かを判定し、現状態通知要求を受信したと判定したとき（Ｙｅｓ）は、ステップＳ７０８に移行して、ネットワークエレメント２００の現状態として状態Ｃであることをオペレーションシステム１００に通知し、ステップＳ７１０に移行する。
ステップＳ７１０では、装置状態通知要求を受信したか否かを判定し、装置状態通知要求を受信したと判定したとき（Ｙｅｓ）は、ステップＳ７１２に移行して、ネットワークエレメント２００の装置状態を通知し、ステップＳ７１４に移行する。
【００８３】
ステップＳ７１４では、監視開始要求を受信したか否かを判定し、監視開始要求を受信したと判定したとき（Ｙｅｓ）は、ステップＳ７１６に移行して、監視開始応答をオペレーションシステム１００に送信し、ステップＳ７１８に移行する。ステップＳ７１８では、局建後にネットワークエレメント２００を運用する通常運用処理を実行し、ステップＳ７２０に移行して、通常運用処理を終了するか否かを判定し、通常運用処理を終了すると判定したとき（Ｙｅｓ）は、ステップＳ７２２に移行して、オペレーションシステム１００との接続を解放する接続解放処理を実行し、一連の処理を終了して元の処理に復帰させる。なお、接続解放処理については後段で詳述する。
【００８４】
一方、ステップＳ７２０で、通常運用処理を終了しないと判定したとき（Ｎｏ）は、ステップＳ７１８に移行する。
一方、ステップＳ７１４で、監視開始要求を受信しないと判定したとき（Ｎｏ）は、監視開始要求を受信するまでステップＳ７１４で待機する。
一方、ステップＳ７１０で、装置状態通知要求を受信しないと判定したとき（Ｎｏ）は、装置状態通知要求を受信するまでステップＳ７１０で待機する。
【００８５】
一方、ステップＳ７０６で、現状態通知要求を受信しないと判定したとき（Ｎｏ）は、現状態通知要求を受信するまでステップＳ７０６で待機する。
一方、ステップＳ７０２で、ヘルスチェック要求を受信しないと判定したとき（Ｎｏ）は、ヘルスチェック要求を受信するまでステップＳ７０２で待機する。
次に、上記ステップＳ６２２，Ｓ７２２の接続解放処理を図１１を参照しながら詳細に説明する。図１１は、接続解放処理を示すフローチャートである。
【００８６】
接続解放処理は、オペレーションシステム１００との接続を解放する処理であって、上記ステップＳ６２２，Ｓ７２２において実行されると、図１１に示すように、まず、ステップＳ８００に移行するようになっている。
ステップＳ８００では、監視終了要求を受信したか否かを判定し、監視終了要求を受信したと判定したとき（Ｙｅｓ）は、ステップＳ８０２に移行して、監視終了応答をオペレーションシステム１００に送信し、ステップＳ８０４に移行して、オペレーションシステム１００とのコネクションを解放し、一連の処理を終了して元の処理に復帰させる。
【００８７】
一方、ステップＳ８００で、監視終了要求を受信しないと判定したとき（Ｎｏ）は、監視終了要求を受信するまでステップＳ８００で待機する。
次に、本実施の形態の動作を図１２および図１６を参照しながら説明する。図１２は、オペレーションシステム１００とネットワークエレメント２００との間で行われる接続確立の手順を示す接続確立シーケンスである。図１３ないし図１６は、オペレーションシステム１００のＧＵＩを示す表示画面である。
【００８８】
まず、ネットワークエレメント２００を局建する場合を説明する。
ネットワークエレメント２００を局建する場合、オペレータは、ネットワークエレメント２００においてインストールキットを実行させる。
ネットワークエレメント２００では、インストールキットが実行されると、ステップＳ４００，Ｓ４０２を経て、ＯＳがインストールされ、オペレーションシステム１００との接続が確立される。接続の確立は、図１２に示すように行われる。すなわち、オペレーションシステム１００とネットワークエレメント２００との間では、ヘルスチェック要求、ヘルスチェック応答、現状態通知要求、現状態通知、監視開始要求および監視開始応答を経て接続が確立される。ここで、ネットワークエレメント２００からは現状態として状態Ａが通知されるので、オペレーションシステム１００では、装置状態通知要求の送信および装置状態通知の受信が省略される。局建時には、装置状態通知要求および装置状態通知が不要であるからである。
【００８９】
次に、オペレータは、オペレーションシステム１００において、図１３に示すＧＵＩにてボタン３００を押下し、ネットワークエレメント２００に対してシステムファイルの転送を行う。
オペレーションシステム１００では、ボタン３００が押下されると、図１４に示すＧＵＩが表示装置４４に表示され、ステップＳ２００，Ｓ２０２を経て、局建データファイルのうちシステムファイルが記憶装置４２から読み出され、読み出されたシステムファイルがネットワークエレメント２００に送信される。これにより、ネットワークエレメント２００では、ステップＳ４０４を経て、システムファイルを受信する。
【００９０】
次に、オペレータは、オペレーションシステム１００において、図１３に示すＧＵＩにてボタン３０２を押下し、ネットワークエレメント２００に対してプラグインファイルの転送を行う。
オペレーションシステム１００では、ボタン３０２が押下されると、図１５に示すＧＵＩが表示装置４４に表示され、ステップＳ２０４，Ｓ２０６を経て、局建データファイルのうちプラグインファイルが記憶装置４２から読み出され、読み出されたプラグインファイルがネットワークエレメント２００に送信される。これにより、ネットワークエレメント２００では、ステップＳ４０６を経て、プラグインファイルを受信する。
【００９１】
次に、オペレータは、オペレーションシステム１００において、図１３に示すＧＵＩにてボタン３０４を押下し、ネットワークエレメント２００に対して局データファイルの転送を行う。
オペレーションシステム１００では、ボタン３０４が押下されると、図１６に示すＧＵＩが表示装置４４に表示され、ステップＳ２０８，Ｓ２１０を経て、局建データファイルのうち局データファイルが記憶装置４２から読み出され、読み出された局データファイルがネットワークエレメント２００に送信される。これにより、ネットワークエレメント２００では、ステップＳ４０８を経て、局データファイルを受信する。
【００９２】
ネットワークエレメント２００では、システムファイル、プラグインファイルおよび局データファイルを受信すると、ステップＳ４１０〜Ｓ４１４を経て、受信したシステムファイル、プラグインファイルおよび局データファイルがＯＳに組み込まれ、ＯＳが再起動し、システムファイルに含まれる旧運用処理プログラムまたは新運用処理プログラムが起動とともに実行される。旧運用処理プログラムまたは新運用処理プログラムが実行されると、ネットワークエレメント２００において通常運用が行われる。
【００９３】
次に、旧運用処理プログラムを含むシステムファイルが組み込まれたネットワークエレメント２００において通常運用を行う場合を説明する。
ネットワークエレメント２００では、旧運用処理プログラムが実行されると、ステップＳ６００〜Ｓ６１６を経て、オペレーションシステム１００との接続が確立される。接続の確立は、図１２に示すように行われる。すなわち、オペレーションシステム１００とネットワークエレメント２００との間では、ヘルスチェック要求、ヘルスチェック応答、現状態通知要求、現状態通知、装置状態通知要求、装置状態通知、監視開始要求および監視開始応答を経て接続が確立される。ここで、ネットワークエレメント２００からは現状態として状態Ｂが通知されるので、オペレーションシステム１００では、旧運用処理プログラムに対応する処理により装置状態通知要求の送信および装置状態通知の受信が行われる。
【００９４】
ネットワークエレメント２００では、オペレーションシステム１００との接続が確立されると、ステップＳ６１８を経て、局建後にネットワークエレメント２００を運用する通常運用処理が実行される。
次に、新運用処理プログラムを含むシステムファイルが組み込まれたネットワークエレメント２００において通常運用を行う場合を説明する。
【００９５】
ネットワークエレメント２００では、新運用処理プログラムが実行されると、ステップＳ７００〜Ｓ７１６を経て、オペレーションシステム１００との接続が確立される。接続の確立は、図１２に示すように行われる。すなわち、オペレーションシステム１００とネットワークエレメント２００との間では、ヘルスチェック要求、ヘルスチェック応答、現状態通知要求、現状態通知、装置状態通知要求、装置状態通知、監視開始要求および監視開始応答を経て接続が確立される。ここで、ネットワークエレメント２００からは現状態として状態Ｃが通知されるので、オペレーションシステム１００では、新運用処理プログラムに対応する処理により装置状態通知要求の送信および装置状態通知の受信が行われる。
【００９６】
ネットワークエレメント２００では、オペレーションシステム１００との接続が確立されると、ステップＳ７１８を経て、局建後にネットワークエレメント２００を運用する通常運用処理が実行される。
このようにして、本実施の形態では、オペレーションシステム１００は、ネットワークエレメント２００の状態に応じて記憶装置４２の局建データファイルをネットワークエレメント２００に送信するようになっており、ネットワークエレメント２００は、局建データファイルを受信し、受信した局建データファイルをネットワークエレメント２００が利用可能となるように組み込むようになっている。
【００９７】
これにより、局建作業のうち局建データファイルをネットワークエレメント２００に組み込む作業をオペレーションシステム１００から遠隔で行うことができるので、同時に複数の局建作業が発生しても、各ネットワークエレメント２００において組込作業を行うことなくオペレーションシステム１００において一括で行うことができる。したがって、従来に比して、局建作業を比較的容易に行うことができる。
【００９８】
さらに、本実施の形態では、インストールキットの接続インターフェースは、現状態通知要求を受信したときは、ネットワークエレメント２００の現状態として状態Ａであることをオペレーションシステム１００に通知するようになっており、運用処理プログラムの接続インターフェースは、現状態通知要求を受信したときは、ネットワークエレメント２００の現状態として状態Ｂ，Ｃであることをオペレーションシステム１００に通知し、装置状態通知要求を受信したときは、ネットワークエレメント２００の装置状態をオペレーションシステム１００に通知するようになっており、オペレーティングシステム１００の接続インターフェースは、現状態通知要求をネットワークエレメント２００に送信し、その応答として通知されたネットワークエレメント２００の現状態が状態Ｂ，Ｃであるときは、装置状態通知要求をネットワークエレメント２００に送信するようになっている。
【００９９】
これにより、オペレーションシステム１００では、運用処理プログラムの接続インターフェースおよびインストールキットの接続インターフェースのそれぞれに対して接続を確立することができるので、運用処理プログラムの接続インターフェースに変更が生じても、インストールキットの接続インターフェースを変更しなくてもすむ。したがって、インストールキットの変更が不要となり、すべてのネットワークエレメント２００に対して共通のインストールキットを組み込むことができる。また、オペレーションシステム１００では、運用処理プログラムの接続インターフェースおよびインストールキットの接続インターフェースの共通部分については同一の処理で対応するようになっているので、運用処理プログラムの接続インターフェースに対応する処理およびインストールキットの接続インターフェースに対応する処理をそれぞれオペレーションシステム１００に組み込む場合に比して、オペレーションシステム１００の接続インターフェースを簡略化することができる。
【０１００】
さらに、本実施の形態では、旧運用処理プログラムの接続インターフェースは、現状態通知要求を受信したときは、ネットワークエレメント２００の現状態として状態Ｂであることをオペレーションシステム１００に通知し、装置状態通知要求を受信したときは、ネットワークエレメント２００の装置状態をオペレーションシステム１００に通知するようになっており、新運用処理プログラムの接続インターフェースは、現状態通知要求を受信したときは、ネットワークエレメント２００の現状態として状態Ｃであることをオペレーションシステム１００に通知し、装置状態通知要求を受信したときは、ネットワークエレメント２００の装置状態をオペレーションシステム１００に通知するようになっており、オペレーションシステム１００の接続インターフェースは、ネットワークエレメント２００の現状態が状態Ｂであるときは、旧運用処理プログラムに対応する処理により装置状態通知要求をネットワークエレメント２００に送信し、ネットワークエレメント２００の現状態が状態Ｃであるときは、新運用処理プログラムに対応する処理により装置状態通知要求をネットワークエレメント２００に送信するようになっている。
【０１０１】
これにより、オペレーションシステム１００では、旧運用処理プログラムの接続インターフェースおよび新運用処理プログラムの接続インターフェースのそれぞれに対して接続を確立することができるので、旧運用処理プログラムを含むシステムファイルが組み込まれたネットワークエレメント２００、および新運用処理プログラムを含むシステムファイルが組み込まれたネットワークエレメント２００の双方に対応することができる。したがって、運用処理プログラムの変更に比較的柔軟に対応することができる。また、オペレーションシステム１００では、旧運用処理プログラムの接続インターフェースおよび新運用処理プログラムの接続インターフェースの共通部分については同一の処理で対応するようになっているので、旧運用処理プログラムの接続インターフェースに対応する処理および新運用処理プログラムの接続インターフェースに対応する処理をそれぞれオペレーションシステム１００に組み込む場合に比して、オペレーションシステム１００の接続インターフェースを簡略化することができる。
【０１０２】
さらに、本実施の形態では、オペレーションシステム１００は、局建データファイルの転送をＧＵＩにより行うようにしたので、局建データファイルの転送作業を比較的容易に行うことができる。また、人為的なミスを低減することができる。
さらに、本実施の形態では、オペレーションシステム１００は、インストールキット、旧運用処理プログラムおよび新運用処理プログラムの３世代管理を行うようにしたので、接続インターフェースの変更に最大３世代まで対応することができる。
【０１０３】
上記実施の形態において、記憶装置４２は、請求項１、８または１０記載の局建データファイル記憶手段に対応し、ステップＳ１００〜Ｓ１４０は、請求項１、３、４、８または１０記載のネットワークエレメント監視手段に対応し、ステップＳ２０２，Ｓ２０６，Ｓ２１０は、請求項１、８または１０記載の局建データファイル送信手段に対応している。また、ステップＳ４０４〜Ｓ４０８は、請求項１、７または９記載の局建データファイル受信手段に対応し、ステップＳ４１０は、請求項１、７または９記載の局建データファイル組込手段に対応し、インストールキットは、請求項１、３、６、７または９記載の局建処理手段に対応している。
【０１０４】
また、上記実施の形態において、旧運用処理プログラムは、請求項３または４記載の運用処理手段に対応し、新運用処理プログラムは、請求項４記載の第２運用処理手段に対応し、状態Ａは、請求項３記載の第１状態に対応し、状態Ｂは、請求項３または４記載の第２状態に対応し、状態Ｃは、請求項４記載の第３状態に対応している。
【０１０５】
上記実施の形態において、ステップＳ１００〜Ｓ１４０は、請求項５記載のネットワークエレメント監視手段に対応し、旧運用処理プログラムは、請求項５記載の第１運用処理手段に対応し、新運用処理プログラムは、請求項５記載の第２運用処理手段に対応している。
なお、上記実施の形態においては、インストールキット、旧運用処理プログラムおよび新運用処理プログラムの３世代管理を行うように構成したが、これに限らず、さらに多い世代を管理するように構成することもできる。
【０１０６】
また、上記実施の形態において、オペレーションシステム１００は、ＣＰＵ３０、ＲＯＭ３２、ＲＡＭ３４、Ｉ／Ｆ３８、入力装置４０、記憶装置４２および表示装置４４を有して構成したが、より具体的には、ＣＰＵ３０、ＲＯＭ３２、ＲＡＭ３４およびＩ／Ｆ３８を監視サーバとして、入力装置４０を入力用ワークステーションとして、記憶装置４２をファイルサーバとして、表示装置４４を表示用ワークステーションとして構成し、それらサーバおよびワークステーションをネットワークで接続することにより構成してもよい。
【０１０７】
また、上記実施の形態において、ネットワークエレメント２００は、ＣＰＵ５０、ＲＯＭ５２、ＲＡＭ５４、Ｉ／Ｆ５８、入力装置６０、記憶装置６２および表示装置６４を有して構成したが、より具体的には、ＣＰＵ５０、ＲＯＭ５２、ＲＡＭ５４、Ｉ／Ｆ５８および記憶装置６２を交換機として、入力装置６０および表示装置６４をワークステーションとして構成し、それら交換機およびワークステーションをネットワークで接続することにより構成してもよい。
【０１０８】
また、上記実施の形態においては、図３ないし図５のフローチャートに示す処理を実行するにあたってはいずれも、ＲＯＭ３２にあらかじめ格納されている制御プログラムを実行する場合について説明したが、これに限らず、これらの手順を示したプログラムが記憶された記憶媒体から、そのプログラムをＲＡＭ３４に読み込んで実行するようにしてもよい。
【０１０９】
また、上記実施の形態においては、図７ないし図１１のフローチャートに示す処理を実行するにあたってはいずれも、ＲＯＭ５２にあらかじめ格納されている制御プログラムを実行する場合について説明したが、これに限らず、これらの手順を示したプログラムが記憶された記憶媒体から、そのプログラムをＲＡＭ５４に読み込んで実行するようにしてもよい。
【０１１０】
ここで、記憶媒体とは、ＲＡＭ、ＲＯＭ等の半導体記憶媒体、ＦＤ、ＨＤ等の磁気記憶型記憶媒体、ＣＤ、ＣＤＶ、ＬＤ、ＤＶＤ等の光学的読取方式記憶媒体、ＭＯ等の磁気記憶型／光学的読取方式記憶媒体であって、電子的、磁気的、光学的等の読み取り方法のいかんにかかわらず、コンピュータで読み取り可能な記憶媒体であれば、あらゆる記憶媒体を含むものである。
【０１１１】
また、上記実施の形態においては、本発明に係る遠隔局建システム、ネットワークエレメント、オペレーションシステム、局建処理プログラム、運用処理プログラムおよび監視プログラムを、図１に示すように、オペレーションシステム１００においてネットワークエレメント２００を遠隔で局建する場合について適用したが、これに限らず、本発明の主旨を逸脱しない範囲で他の場合にも適用可能である。
【０１１２】
【発明の効果】
以上説明したように、本発明に係る請求項１ないし６記載の遠隔局建システムによれば、局建作業のうち局建データファイルをネットワークエレメントに組み込む作業をオペレーションシステムから遠隔で行うことができるので、同時に複数の局建作業が発生しても、各ネットワークエレメントにおいて組込作業を行うことなくオペレーションシステムにおいて一括で行うことができる。したがって、従来に比して、局建作業を比較的容易に行うことができるという効果が得られる。
【０１１３】
さらに、本発明に係る請求項３または４記載の遠隔局建システムによれば、オペレーションシステムでは、運用処理手段の接続インターフェースおよび局建処理手段の接続インターフェースのそれぞれに対して接続を確立することができるので、運用処理手段の接続インターフェースに変更が生じても、局建処理手段の接続インターフェースを変更しなくてもすむ。したがって、局建処理手段の変更が不要となり、すべてのネットワークエレメントに対して共通の局建処理手段を組み込むことができるという効果も得られる。また、オペレーションシステムでは、運用処理手段の接続インターフェースおよび局建処理手段の接続インターフェースの共通部分については同一の処理で対応するようになっているので、運用処理手段の接続インターフェースに対応する処理および局建処理手段の接続インターフェースに対応する処理をそれぞれオペレーションシステムに組み込む場合に比して、オペレーションシステムの接続インターフェースを簡略化することができるという効果も得られる。
【０１１４】
さらに、本発明に係る請求項４記載の遠隔局建システムによれば、オペレーションシステムでは、運用処理手段の接続インターフェースおよび第２運用処理手段の接続インターフェースのそれぞれに対して接続を確立することができるので、運用処理手段を含むシステムファイルが組み込まれたネットワークエレメント、および第２運用処理手段を含むシステムファイルが組み込まれたネットワークエレメントの双方に対応することができる。したがって、運用処理手段の変更に比較的柔軟に対応することができるという効果も得られる。また、オペレーションシステムでは、運用処理手段の接続インターフェースおよび第２運用処理手段の接続インターフェースの共通部分については同一の処理で対応するようになっているので、運用処理手段の接続インターフェースに対応する処理および第２運用処理手段の接続インターフェースに対応する処理をそれぞれオペレーションシステムに組み込む場合に比して、オペレーションシステムの接続インターフェースを簡略化することができるという効果も得られる。
【０１１５】
さらに、本発明に係る請求項５記載の遠隔局建システムによれば、オペレーションシステムでは、第１運用処理手段の接続インターフェースおよび第２運用処理手段の接続インターフェースのそれぞれに対して接続を確立することができるので、第１運用処理手段を含むシステムファイルが組み込まれたネットワークエレメント、および第２運用処理手段を含むシステムファイルが組み込まれたネットワークエレメントの双方に対応することができる。したがって、運用処理手段の変更に比較的柔軟に対応することができるという効果も得られる。また、オペレーションシステムでは、第１運用処理手段の接続インターフェースおよび第２運用処理手段の接続インターフェースの共通部分については同一の処理で対応するようになっているので、第１運用処理手段の接続インターフェースに対応する処理および第２運用処理手段の接続インターフェースに対応する処理をそれぞれオペレーションシステムに組み込む場合に比して、オペレーションシステムの接続インターフェースを簡略化することができるという効果も得られる。
【０１１６】
一方、本発明に係る請求項７記載のネットワークエレメントによれば、請求項１記載の遠隔局建システムと同等の効果が得られる。
一方、本発明に係る請求項８記載のオペレーションシステムによれば、請求項１記載の遠隔局建システムと同等の効果が得られる。
一方、本発明に係る請求項９記載の局建処理プログラムによれば、請求項１記載の遠隔局建システムと同等の効果が得られる。
一方、本発明に係る請求項１０記載の監視プログラムによれば、請求項１記載の遠隔局建システムと同等の効果が得られる。
【図面の簡単な説明】
【図１】本発明を適用する遠隔局建システムの構成を示すブロック図である。
【図２】オペレーションシステム１００の構成を示すブロック図である。
【図３】ネットワークエレメント監視処理を示すフローチャートである。
【図４】局建監視処理を示すフローチャートである。
【図５】接続解放処理を示すフローチャートである。
【図６】ネットワークエレメント２００の構成を示すブロック図である。
【図７】局建処理を示すフローチャートである。
【図８】接続確立処理を示すフローチャートである。
【図９】旧運用処理プログラムによる通常運用処理を示すフローチャートである。
【図１０】新運用処理プログラムによる通常運用処理を示すフローチャートである。
【図１１】接続解放処理を示すフローチャートである。
【図１２】オペレーションシステム１００とネットワークエレメント２００との間で行われる接続確立の手順を示す接続確立シーケンスである。
【図１３】オペレーションシステム１００のＧＵＩを示す表示画面である。
【図１４】オペレーションシステム１００のＧＵＩを示す表示画面である。
【図１５】オペレーションシステム１００のＧＵＩを示す表示画面である。
【図１６】オペレーションシステム１００のＧＵＩを示す表示画面である。
【符号の説明】
３０，５０　　　　　　　　ＣＰＵ
３２，５２　　　　　　　　ＲＯＭ
３４，５４　　　　　　　　ＲＡＭ
３８，５８　　　　　　　　Ｉ／Ｆ
４０，６０　　　　　　　　入力装置
４２，６２　　　　　　　　記憶装置
４４，６４　　　　　　　　表示装置
１００　　　　　　　　　　オペレーションシステム
２００　　　　　　　　　　ネットワークエレメント
３００〜３０４　　　　　　ボタン
【図１】
2004064134.tif 000003
【図２】
2004064134.tif 000004
【図３】
2004064134.tif 000005
【図４】
2004064134.tif 000006
【図５】
2004064134.tif 000007
【図６】
2004064134.tif 000008
【図７】
2004064134.tif 000009
【図８】
2004064134.tif 000010
【図９】
2004064134.tif 000011
【図１０】
2004064134.tif 000012
【図１１】
2004064134.tif 000013
【図１２】
2004064134.tif 000014
【図１３】
2004064134.tif 000015
【図１４】
2004064134.tif 000016
【図１５】
2004064134.tif 000017
【図１６】
2004064134.tif 000018